(57)【要約】【課題】本発明は、操作部を有する操作部側筐体にアンテナを配置するとともに、このアンテナの配置位置、表裏切換可能な表示部側筐体の回動方向、及び表示部の画面方向の関係を好適にすることで、利便性の高い携帯端末装置を提供することを目的とする。【解決手段】本発明の携帯電話機１は、操作部側筐体２と、表示部側筐体３と、操作部側筐体２と表示部側筐体３とを開閉可能及び表裏切換可能に連結する連結部４と、アンテナ２２と、アンテナ２２により受信された信号に基づく画像を表示する表示部３０と、を備える。そして、表示部側筐体３の表裏切換可能な回動方向に対応した操作部側筐体２の側面にアンテナ２２を配置するとともに、表示部３０での画像の表示方向をアンテナ２２の配置位置に対応させた構成とされることを特徴とする。【選択図】図１０
2009055565.tif 000002
【特許請求の範囲】
【請求項１】
操作部を備える第１筐体と、
表示部を備える第２筐体と、
前記第１筐体と前記第２筐体とが折り重なる閉状態と折り重ならない開状態との間で前記第１筐体と前記第２筐体とを開閉可能に連結する連結部材と、
前記第２筐体を前記第１筐体に対して表裏切換可能に回動させる回動部材と、
を備えた携帯端末装置であって、
前記回動部材は、前記連結部材によって前記開状態から前記閉状態へ回動させたときに前記表示部が前記第１筐体に対向される第１回動状態と前記開状態から前記閉状態へ回動させたときに前記表示部が前記第１筐体と対向しない第２回動状態との間の一方側での前記第２筐体の回動を許容し、
前記第１筐体は、前記第２筐体が前記回動部材によって回動可能とされる一方側に対応する第１側面にアンテナが配設され、
前記表示部は、前記アンテナにより受信された信号に基づく画像が表示される際に、前記第１回動状態のときに前記第１側面に対応する側を画面上方として前記画像を表示する表示制御部を有する
ことを特徴とする携帯端末装置。
【請求項２】
前記アンテナは、前記第１筐体の前記第１側面に脱着可能に配設される
ことを特徴とする請求項１に記載の携帯端末装置。
【請求項３】
前記回動部材は、前記第２筐体を任意の前記一方側での回動位置で保持する保持手段を有する
ことを特徴とする請求項１又は２に記載の携帯端末装置。
【請求項４】
第１筐体は、前記第１側面とは反対側の第２側面に、前記開状態で且つ前記第２筐体が前記第１回動状態と前記第２回動状態との間の前記一方側での回動位置で前記保持手段によって保持された状態を前記第２側面を底面として支持する支持部を有する
ことを特徴とする請求項３に記載の携帯端末装置。
【請求項５】
前記第２筐体が、前記第１筐体と前記連結部材によって開閉可能に連結される連結筐体と、前記連結筐体に前記回動部材によって表裏切換可能に連結される主筐体とを有して構成され、
前記連結筐体は、前記開状態において前記第１筐体に対して屈曲した状態とされるとともに、前記第２側面に対応する側面に第２支持部が形成されている
ことを特徴とする請求項４に記載の携帯端末装置。  
【発明の詳細な説明】
【技術分野】
【０００１】
本発明は、携帯電話機等の携帯端末装置に関する。
【背景技術】
【０００２】
近年、携帯端末装置としての携帯電話機は、表示部を有する表示部側筐体と操作部を有する操作部側筐体とをヒンジ機構などの連結機構を介して開閉可能に連結するとともに、表示部側筐体を操作部側筐体に対して表裏回転可能とした携帯電話機、所謂２軸式携帯電話機が増えている。
【０００３】
また、放送局などから配信されるテレビ番組などをアンテナから受信して、受信した番組などの動画を表示部に表示させることが可能な携帯電話機も増えており、このアンテナを介して受信された番組などの画像を表示部に表示可能とした２軸式携帯電話機が提案されている（例えば、特許文献１）。
【特許文献１】特開２００５−３１８４０７号公報
【発明の開示】
【発明が解決しようとする課題】
【０００４】
ここで、特許文献１における携帯電話機は、アンテナが表示部側筐体に配置される構成であるため、アンテナの感度を高めるためにアンテナの位置（方向）を変更しようとすると表示部の正面方向がユーザーの視認方向と合致せずに画面が見づらいものとなり、画面をユーザーの視認方向に合わせようとするとアンテナの受信感度が劣化してしまい、画像の乱れ等が発生し、ユーザーに違和感を与えるといった問題が発生する。
【０００５】
本発明は、操作部を有する操作部側筐体にアンテナを配置するとともに、このアンテナの配置位置、表裏切換可能な表示部側筐体の回動方向、及び表示部の画面方向の関係を好適にすることで、利便性の高い携帯端末装置を提供することを目的とする。
【課題を解決するための手段】
【０００６】
本発明の携帯端末装置は、操作部を備える第１筐体と、表示部を備える第２筐体と、前記第１筐体と前記第２筐体とが折り重なる閉状態と折り重ならない開状態との間で前記第１筐体と前記第２筐体とを開閉可能に連結する連結部材と、前記第２筐体を前記第１筐体に対して表裏切換可能に回動させる回動部材と、を備えた携帯端末装置であって、前記回動部材は、前記連結部材によって前記開状態から前記閉状態へ回動させたときに前記表示部が前記第１筐体に対向される第１回動状態と前記開状態から前記閉状態へ回動させたときに前記表示部が前記第１筐体と対向しない第２回動状態との間の一方側での前記第２筐体の回動を許容し、前記第１筐体は、前記第２筐体が前記回動部材によって回動可能とされる一方側に対応する第１側面にアンテナが配設され、前記表示部は、前記アンテナにより受信された信号に基づく画像が表示される際に、前記第１回動状態のときに前記第１側面に対応する側を画面上方として前記画像を表示する表示制御部を有することを特徴とする。
【０００７】
また、前記アンテナは、前記第１筐体の前記第１側面に脱着可能に配設されるのが好ましい。
【０００８】
また、前記回動部材は、前記第２筐体を任意の前記一方側での回動位置で保持する保持手段を有するのが好ましい。
【０００９】
また、前期第１筐体は、前記第１側面とは反対側の第２側面に、前記開状態で且つ前記第２筐体が前記第１回動状態と前記第２回動状態との間の前記一方側での回動位置で前記保持手段によって保持された状態を前記第２側面を底面として支持する支持部を有するのが好ましい。
【００１０】
また、前記第２筐体が、前記第１筐体と前記連結部材によって開閉可能に連結される連結筐体と、前記連結筐体に前記回動部材によって表裏切換可能に連結される主筐体とを有して構成され、前記連結筐体は、前記開状態において前記第１筐体に対して屈曲した状態とされるとともに、前記第２側面に対応する側面に第２支持部が形成されているのが好ましい。
【発明の効果】
【００１１】
本発明によれば、操作部を有する操作部側筐体に配置されるアンテナの配置位置、表裏切換可能な表示部側筐体の回動方向、及び表示部の画面方向の関係を好適にすることで、利便性の高い携帯端末装置を提供することができる。
【発明を実施するための最良の形態】
【００１２】
以下、図面を参照して本発明を実施するための最良の形態を説明する。なお、以下、携帯端末装置として携帯電話機について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００１３】
図１から図３により、携帯端末装置としての携帯電話機１における基本構造を説明する。図１は、携帯端末装置としての携帯電話機１を開いた状態（第１開状態）における正面図を示す。また、図２（Ａ）は、携帯電話機１を開いた状態における左側面図を示し、図２（Ｂ）は、携帯電話機１を開いた状態における右側面図を示す。また、図３は、携帯電話機１を開いた状態における背面図を示す。
【００１４】
携帯電話機１は、操作部側筐体（第１筐体）２と、表示部側筐体（第２筐体の主筐体）３とを備える。操作部側筐体２と表示部側筐体３とは２軸ヒンジ機構を備える連結部（連結部材、回動部材）４を介して連結され、該携帯電話機１を開状態及び閉状態に変形可能とすると共に、開状態及び閉状態それぞれにおいて表示部側筐体３を表状態と裏状態とに切り替えることができる。
【００１５】
ここで、閉状態とは、両筐体が互いに重なるように配置された状態であり、開状態とは、両筐体が互いに重ならないように配置された状態をいう。そして、開状態における表状態（第１回動状態）とは、後述する表示部側筐体３における表面３Ａに配置されるディスプレイ３０と、操作部側筐体２における表面２Ａに配置される操作キー群１１とが同じ側を向くように配置された状態（図１参照）であり、開状態における裏状態（第２回動状態）とは、表示部側筐体３におけるディスプレイ３０と操作部側筐体２における操作キー群１１とが反対側を向くように配置された状態（図６参照）をいう。また、閉状態における表状態（第１回動状態）とは、表示部側筐体３におけるディスプレイ３０が操作部側筐体２における操作キー群１１に対向するように配置された状態（図５参照）であり、閉状態における裏状態（第２回動状態）とは、表示部側筐体３におけるディスプレイ３０が操作部側筐体２における操作キー群１１と対向せずに表出した状態（図７参照）である。
【００１６】
操作部側筐体２は、外面がフロントケース２ａとリアケース２ｂにより構成される。この操作部側筐体２は、フロントケース２ａ側に、操作キー群１１と、携帯電話機１の使用者が通話時に発した音声が入力されるマイクとしての音声入力部１２とがそれぞれ露出するように構成される。ここで、操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、から構成されている。また、音声入力部１２は、操作部側筐体２の長手方向における連結部４側とは反対の外端部側に配置される。つまり、音声入力部１２は、携帯電話機１が開状態において一方の外端部側に配置される。
【００１７】
操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００１８】
操作部側筐体２における一方の側面（第２側面）２Ｃには、図２（Ａ）に示すように、外部機器（例えば、ホスト装置）とデータの送受信を行うためのインターフェース１６と、ヘッドホン／マイク端子１７と、着脱可能な外部メモリのインターフェース１８と、バッテリーを充電するための充電端子１９とが設けられている。なお、インターフェース１６、ヘッドホン端子／マイク端子１７及びインターフェース１８は、不使用時において着脱可能な防塵対策用のキャップで覆われている。
【００１９】
操作部側筐体２における他方の側面（第１側面）２Ｄには、図２（Ｂ）に示すように、一対のサイドキー２０と、撮像時に使用される操作キー２１と、電波の受信角度を調整可能な放送波受信用のアンテナ２２とが配置される。このサイドキー２０には、操作部側筐体２と表示部側筐体３との開閉状態や表裏状態等の変形状態や、起動されているアプリケーションの種類に応じて所定の機能が割り当てられる（キー・アサイン）。ここで、上述と同様に、サイドキー２０が使用者により押圧されることで、携帯電話機１においてサイドキー２０に割り当てられている機能に応じた動作が実行される。
【００２０】
操作部側筐体２のリアケース２ｂには、図３に示すように、被写体を撮像するカメラ部２３と、被写体に光を照射するライト部２４とが露出して配置される。このカメラ部２３とライト部２４とは、操作部側筐体２における連結部４側の内端部側に配置される。また、操作部側筐体２におけるリアケース２ｂには、バッテリー収容部９２にバッテリー９０を装着するための開口９２ａが形成されると共に、該開口９２ａを塞ぐようにバッテリーリッド２５が配置される。
【００２１】
また、操作部側筐体２の上端部と表示部側筐体３の下端部とは、図１から図３に示すように、２軸ヒンジ機構を備える連結部（第２筐体の連結筐体）４を介して連結される。連結部４における一方の面（裏面）には、図３に示すように、副操作キー群３３が該携帯電話機１の幅方向（短手方向）において一列に並んで配置される。この副操作キー群３３を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２２】
表示部側筐体３は、外面がフロントケース３ａとリアケース３ｂにより構成される。表示部側筐体３におけるフロントケース３ａには、各種情報を表示するための所定形状のディスプレイ３０と、通話の相手側における音声を出力するレシーバーとしての音声出力部３１とが露出するように配置される。ここで、音声出力部３１は、表示部側筐体３の長手方向における連結部４とは反対の外端部側に配置される。つまり、音声出力部３１は、携帯電話機１が開状態において他方の端部側に配置される。
【００２３】
また、表示部側筐体３のリアケース３ｂには、各種情報を表示するためのサブディスプレイ３２が露出して配置される。ディスプレイ３０及びサブディスプレイ３２それぞれは、液晶パネルと、この液晶パネルを駆動する駆動回路と、この液晶パネルの背面側から光を照射するバックライト等の光源部とから構成される。
【００２４】
ここで、携帯電話機１は、該携帯電話機１における開閉状態及び閉状態における表裏状態を検出する状態検出手段を備える。状態検出手段は、第１筐体としての操作部側筐体２に配置される磁気センサとしての１つのホール素子６と、第２筐体としての表示部側筐体３に配置される２つの磁石７ａ、７ｂとにより構成される。ホール素子６は、Ｓ極の磁力とＮ極の磁力との双方を検出すると共に、磁力の大きさを検出する。
【００２５】
このホール素子６と２つの磁石７ａ、７ｂとは、開状態において互いに離間すると共に、閉状態においてホール素子６と一方の磁石とが筐体の厚さ方向において重なるように配置される。そして、ホール素子６は、磁石７ａ、７ｂから発せられる磁力の方向（Ｓ極又はＮ極）及び磁力の大きさにより、携帯電話機１における開閉状態及び閉状態における表裏状態を検出する。
【００２６】
次いで、図４から図７により、連結部４の構造及び携帯電話機１における変形状態について説明する。図４は、携帯電話機１を開いた第１開状態（開状態、第１回動状態）における斜視図を示す。図５は、図４に示される状態から携帯電話機１の表示部側筐体３と操作部側筐体２を、連結部４の開閉軸Ｘを中心に閉回転し、閉じた第１閉状態（閉状態、第１回動状態）の平面図を示す。図６は、図４に示される状態から携帯電話機１の表示部側筐体３を、連結部４の回動軸Ｙを中心にして１８０°回動した第２開状態（開状態、第２回動状態）の斜視図を示す。図７は、図６に示される状態から携帯電話機１の表示部側筐体３を、連結部４の開閉軸Ｘを中心に閉回転して閉じた第２閉状態（閉状態、第２回動状態）の斜視図を示す。
【００２７】
連結部４は、操作部側筐体２と表示部側筐体３とを、開閉軸Ｘを中心にして任意の角度で開閉自在に連結すると共に、回動軸Ｙを中心に任意の角度で回動自在に連結する２軸ヒンジ機構を備える。連結部４は、一方端４ａ側において図示しない開閉連結部材により操作部側筐体２の上端部と連結されており、他方端４ｂ側において図示しない回動連結部材により表示部側筐体３の下端部と連結されている。
【００２８】
連結部４の一方端４ａには、該連結部４における表面から垂直に突出するように形成される凸形状の開閉部４ｃが形成される。そして、操作部側筐体２の上端部には、この凸形状の開閉部４ｃが挿嵌される凹形状の切り欠き部５が形成される。
【００２９】
この開閉部４ｃの開閉軸Ｘ方向における両側それぞれには、図示しない孔部Ａが形成される。また、操作部側筐体２の切り欠き部５における両内側面には、図示しない孔部Ｂが形成される。そして、凸形状の開閉部４ｃが、凹形状の切り欠き部５に挿嵌された状態において、孔部Ａと孔部Ｂとは互いに近接して対向するよう配置されると共に、孔部Ａと孔部Ｂとの双方に円筒状の開閉連結部材（連結部材）が挿通される。これにより、操作部側筐体２と表示部側筐体３とは、開閉可能に連結される。なお、開閉部４ｃは、操作部側筐体２の上端部に挿嵌される形状であれば良く、特に凸形状に限られず、また、操作部側筐体２の上端部の形状も凹形状に限られない。
【００３０】
また、連結部４の他方端４ｂ側と表示部側筐体３の下端部とは、図示しない回動連結部材（回動部材）により回動自在に連結される。連結部４における表示部側筐体３側の側面には、図示しない孔部Ｃが形成される。また、表示部側筐体３における連結部４側の側面には、図示しない孔部Ｄが形成される。そして、孔部Ｃと孔部Ｄとの双方に回動連結部材が挿通されることで、操作部側筐体２と表示部側筐体３とが回動軸Ｙを中心に回動可能に連結される。
【００３１】
つまり、操作部側筐体２と表示部側筐体３とは、表示部側筐体３の表裏状態を切り替え可能に連結される。
【００３２】
携帯電話機１は、上述したように、操作部側筐体２と表示部側筐体３とが連結部４により開閉及び回動可能に連結される。これにより、操作部側筐体２と表示部側筐体３とを、開閉軸Ｘを中心にして開閉させたり、回動軸Ｙを中心にして回動をさせたりすることで携帯電話機１を様々な状態に変形させることができる。
【００３３】
例えば、図５に示す操作部側筐体２と表示部側筐体３とが互いに重なる状態である閉状態（第１閉状態）の携帯電話機１を、操作部側筐体２及び表示部側筐体３それぞれにおける開閉軸Ｘと反対側の端部が、互いに離間するよう開閉軸Ｘを中心にして開くように変形させることで、図１から図４に示す操作部側筐体２と表示部側筐体３とが互いに重ならない開状態（第１開状態）にすることができる。
【００３４】
逆に、図１から図４に示す開状態（第１開状態）の携帯電話機１を、操作部側筐体２及び表示部側筐体３それぞれの開閉軸Ｘと反対側の端部が、互いに近づくよう開閉軸Ｘを中心にして閉じるように変形させることで、図５に示す閉状態（第１閉状態）にすることができる。
【００３５】
また、図１から図４に示す開状態（第１開状態）において、表示部側筐体３を、回動軸Ｙを中心にＹ１方向に回動させることができる。更には、表示部側筐体３を更に回動軸Ｙを中心にＹ１方向へ回転させることで、表示部側筐体３における表裏状態を切り替えることができる。具体的には、図１から図４に示す表示部側筐体３における表面３Ａに配置されるディスプレイ３０と、操作部側筐体２における表面２Ａに配置される操作キー群１１とが同じ側を向く第１開状態（開状態での第１回動状態）から、表示部側筐体３が回動軸Ｙを中心にＹ１方向へ１８０度回転されることで、図６に示されるように、表示部側筐体３における表面３Ａに配置されるディスプレイ３０と、操作部側筐体２における表面２Ａに配置される操作キー群とが反対側を向く第２開状態（開状態での第２回動状態）にすることができる。
【００３６】
そして、図６に示す第２開状態における表示部側筐体３を開閉軸Ｘを中心にして閉じるよう変形させることで、携帯電話機１を図７に示す第２閉状態にすることができる。つまり、携帯電話機１は、図５に示す表示部側筐体３におけるディスプレイ３０が、操作部側筐体２における操作キー群１１に対向するよう配置された第１閉状態から、図７に示す表示部側筐体３におけるディスプレイ３０が、操作部側筐体２に対向せずに表出した状態である第２閉状態に変形させることができる。
【００３７】
上述したように、２軸ヒンジ機構は、開閉連結部材（連結部材）と回動連結部材（回動部材）を有して構成され、開閉連結部材は、操作部側筐体２と表示部側筐体３とを開閉軸Ｘを中心にして任意の角度で開閉自在に連結する機能を有し、回動連結部材は、表示部側筐体３を操作部側筐体２に対して回動軸Ｙを中心に任意の角度で回動自在に連結する機能を有する。
【００３８】
このように、連結部４の２軸ヒンジ機構は、第１回動状態と第２回動状態との間で表示部側筐体３を操作部側筐体２に対して表裏切換可能に回動可能としている。ここで、第１回動状態とは、表示部側筐体３と連結部４との回動状態が、表示部側筐体３を開状態から操作部側筐体２に近づけるように回転軸Ｘを中心に回動させて閉状態となった場合に、表示部としてのディスプレイ３０が操作部側筐体２の操作キー群１１が配置された操作面（フロントケース２ａ）に対向される状態となる回動状態を示し、表示部側筐体３と連結部４とが図１乃至図５に示される状態にあることを示す。また、第２回動状態とは、表示部側筐体３と連結部４との回動状態が、第１回動状態に対して回転軸Ｙを中心に１８０°回動された状態を示し、表示部側筐体３と連結部４とが図６及び図７に示される状態にあることを示す。
【００３９】
そして、２軸ヒンジ機構は、表示部側筐体３の操作部側筐体２（連結部４）に対する回動方向として、図４に示される第１開状態から図６に示される第２開状態へ回動させる際に、図４に示されるＹ１方向への回動のみを許容しており、反対方向への回動を規制している。また、図６に示される第２開状態から図４に示される第１開状態へ回動させる際には、図６に示されるＹ２方向への回動のみを許容している。つまり、２軸ヒンジ機構（回動部材）は、Ｙ軸を中心とした表示部側筐体３の回動を第１回動状態と第２回動状態との間での一方側でのみ許容しており、他方側での回動を規制する図示しないストッパーを有している。このストッパーは、図４に示す第１開状態からＹ１方向とは反対側の方向への回動を規制しており、また図６に示す第２開状態からＹ２方向とは反対側の方向への回動を規制している。
【００４０】
続いて、図８及び図９により、操作部側筐体２及び表示部側筐体３の内部構造について説明する。図８は、操作部側筐体２の分解斜視図を示す。また、図９は、表示部側筐体３の分解斜視図を示す。
【００４１】
操作部側筐体２は、図８に示すように、フロントケース２ａと、上述した操作キー群１１を構成するキーシート４０と、キースイッチが配置されるフレキシブルプリント配線基板５０と、シールドケース６０と、基準電位パターン層及び携帯電話機用のＲＦ（Ｒａｄｉｏ  Ｆｒｅｑｕｅｎｃｙ）モジュール等の各種電子部品を備える回路基板７０と、アンテナ部８０と、リアケース２ｂと、を備える。また、バッテリー９０は、リアケース２ｂの外側から装脱可能に収容される。
【００４２】
フロントケース２ａとリアケース２ｂとは、互いの凹状の内側面が向き合うように配置されると共に、互いの外周縁が重なり合うようにして結合される。また、フロントケース２ａとリアケース２ｂとの間には、キーシート４０と、フレキシブルプリント配線基板５０と、シールドケース６０と、回路基板７０と、アンテナ部８０とが、フロントケース２ａ側からこの順番で収納配置される。
【００４３】
回路基板７０における第１の面７２には、図示しない各種電子部品及び基準電位パターン層が形成される。また、回路基板７０における第２の面７３には、各種電子部品が配置される。具体的には、第２の面７３には、図示しないカメラ部２３やライト部２４が連結部４側の端部に偏って配置されると共に、図示しない音声入力部１２が連結部４側の端部に偏って配置される。なお、カメラ部２３やライト部２４は、リアケース２ｂに所定の形状で穿孔されている穿孔部２ｃを介して外部に露出される。
【００４４】
シールドケース６０は、薄型の直方体における一の広い面が開口した形状を有する金属製の部材である。シールドケース６０は、平板部４２と、平板部４２における一方の面に略垂直に形成されるリブ４４とを有する。リブ４４は、回路基板７０における第１の面７２に実装される各種電子部品のうち最も高さのある電子部品の高さと同等又はそれよりも十分に高くなるよう形成される。なお、シールドケース６０は、金属により形成する以外に、骨格を樹脂により形成し、その表面に金属性の導体膜を形成したものでもよい。
【００４５】
ここで、リブ４４は、平板部４２の周縁及び内側に上述した基準電位パターン層に対応するよう形成される。具体的には、基準電位パターン層が形成される第１の面７２と、シールドケース６０におけるリブ４４が形成される面である裏面とが向かい合うようにして配置された場合において、リブ４４の底面が基準電位パターン層上に配置されるよう形成される。
【００４６】
シールドケース６０は、リブ４４（底面）により、回路基板７０における第１の面７２に形成される基準電位パターン層と導通する。これにより、シールドケース６０は、基準電位パターン層と電気的に導通して同じ大きさの電位を有するようになる。また、シールドケース６０は、外部からのノイズが回路基板７０の第１の面７２に配置される不図示の各種電子部品に作用するのを防ぐと共に、第１の面７２に形成される高周波回路等から放出されるノイズを吸収する。ここで、シールドケース６０と回路基板７０との間に配置される図示しない導通部材を配置することで電気的に導通させてもよい。また、シールドケース６０は、後述する各種キーの押圧操作に対する剛性確保のための補強部材としても機能する。
【００４７】
フレキシブルプリント配線基板５０は、フロントケース２ａ側の面に複数のキースイッチ５１、５２、５３を有している。フレキシブルプリント配線基板５０のキースイッチ５１、５２、５３は、椀状に湾曲して立体的に形成された金属板のメタルドームを有する構造になっている。メタルドームは、その椀状形状の頂点が押圧されると、フレキシブルプリント配線基板５０の表面に印刷された不図示の電気回路に形成されるスイッチ端子に接触して電気的に導通する。なお、フレキシブルプリント配線基板５０は、複数の絶縁フィルムの間に配線を挟み込んだものである。
【００４８】
また、フレキシブルプリント配線基板５０におけるフロントケース２ａ側の面には、状態検出手段を構成する１つのホール素子６が配置される。ホール素子６は、フレキシブルプリント配線基板５０の幅方向外縁における長手方向略中央に配置される。
【００４９】
キーシート４０は、シリコンゴム製のシート４１の表面に操作キー群１１が接着剤により貼り付けられて構成される。キーシート４０における操作キー群１１を構成する機能設定操作キー１３、入力操作キー１４及び決定操作キー１５は、フレキシブルプリント配線基板５０におけるキースイッチ５１、５２、５３と対向する位置に配置されると共に、後述するフロントケース２ａに形成されるキー孔４５から露出するように配置される。
【００５０】
フロントケース２ａには、携帯電話機１を折り畳んだ状態で表示部側筐体３のディスプレイ３０と対向する内側面に、キー孔４５が複数形成される。複数のキー孔４５それぞれからは、キーシート４０上に形成される機能設定操作キー１３、入力操作キー１４及び決定操作キー１５の押圧面が露出する。この露出した操作キー群１１を構成する機能設定操作キー１３、入力操作キー１４及び決定操作キー１５の押圧面を押し下げるように押圧することで、対応するキースイッチ５１、５２、５３それぞれにおけるメタルドーム（椀状形状）の頂点が押圧され、スイッチ端子に接触して電気的に導通する。
【００５１】
アンテナ部８０は、基台上に所定形状のアンテナエレメントが配置されることにより構成さる。アンテナ部８０は、携帯電話機１における連結部４側と反対の端部側に配置される。このアンテナ部８０のアンテナエレメントは、帯状の板金により形成される。また、アンテナ部８０は、不図示の給電端子を介して回路基板７０から給電される。これにより、アンテナエレメントは、給電端子を介して回路基板７０から給電されると共に、回路基板７０のＲＦモジュール等と接続される。
【００５２】
バッテリー９０は、リアケース２ｂに形成された開口９２ａを介してバッテリー収容部９２に着脱可能に収容される。バッテリー収容部９２は、リアケース２ｂと回路基板７０における第２の面７３の一部とにより形成される。そして、バッテリー９０が収容された状態において、開口９２ａを塞ぐようにバッテリーリッド２５を配置することで、バッテリー９０の脱落を抑制することができる。
【００５３】
表示部側筐体３は、図９に示すように、フロントケース３ａと、ディスプレイユニット１００と、金属部材で構成される内部フレーム１１０と、基準電位パターン層及びディスプレイ用の電子部品を備える回路基板１２０と、サブディスプレイユニット１３０と、リアケース３ｂと、を備える。
【００５４】
フロントケース３ａとリアケース３ｂとは、互いの凹状の内側面が向き合うように配置されると共に、互いの外周縁が重なり合うようにして結合される。また、フロントケース３ａとリアケース３ｂとの間には、ディスプレイユニット１００と、内部フレーム１１０と、回路基板１２０と、サブディスプレイユニット１３０とが、フロントケース３ａ側からこの順番で収納配置される。
【００５５】
フロントケース３ａは、ケース体３００ａの表面にＬＣＤカバー３００ｂとフロントカバー３００ｃを固定して形成される。ここで、フロントケース３ａの幅方向外側における両外縁それぞれには、リブ３５、３６が形成される。そして、リブ３５に形成される凹部３５ａに嵌合するようにして磁石７ａが配置される。また、リブ３６に形成される凹部３６ａに嵌合するようにして磁石７ｂが配置される。この２つの磁石７ａ、７ｂそれぞれは、同じ磁極が表示部側筐体３の厚さ方向において同じ側を向くように配置される。例えば、２つの磁石７ａ、７ｂそれぞれは、２つの磁石７ａ、７ｂそれぞれにおけるＳ極が表面３Ａ側を向くように配置される。
【００５６】
ディスプレイユニット１００は、ディスプレイ３０と、該ディスプレイ３０を固定するホルダーとにより構成されている。
【００５７】
内部フレーム１１０は断面がＨ字状の部材であり、フロントケース３ａ側及びリアケース３ｂ側に、浅い凹状の収容部が形成される。そして、内部フレーム１１０のフロントケース３ａ側にはディスプレイユニット１００が収容配置され、リアケース３ｂ側には回路基板１２０が収容配置される。ここで、内部フレーム１１０は、表示部側筐体３における曲げ動作や捩り動作に対する剛性確保のための補強部材及び静電対策用のシールドとして機能する。
【００５８】
回路基板１２０は、上述のように内部フレーム１１０のリアケース３ｂ側に収容配置される。回路基板１２０におけるリアケース３ｂ側には、図示しない各種電子部品が配置される。上述した音声出力部３１は、回路基板１２０における連結部４とは反対の外端部側に配置される。また、各種電子部品は、所定の組み合わせによりディスプレイ３０やサブディスプレイ３２の表示態様やそのタイミング等の表示制御を行う表示制御ブロック等の回路ブロックを形成する。
【００５９】
また、回路基板１２０におけるフロントケース３ａ側には、図示しない基準電位パターン層が形成される。この基準電位パターン層における所定位置と、内部フレーム１１０とが向かい合う面における所定位置との間には、導通部材が配置される。これにより、回路基板１２０における基準電位パターン層と内部フレーム１１０とは電気的に導通される。
【００６０】
サブディスプレイユニット１３０は、サブディスプレイ３２と、該サブディスプレイ３２とを固定するホルダーとにより構成されている。サブディスプレイユニット１３０は、リアケース３ｂと回路基板１２０とに挟まれるように配置される。つまり、サブディスプレイユニット１３０は、フロントケース３ａとリアケース３ｂとにより挟み込まれることで加えられる力により、回路基板１２０を内部フレーム１１０側に押し付けるように押圧する。
【００６１】
また、サブディスプレイユニット１３０は、上述のように、リアケース３ｂに形成される窓部３ｃから表出するように配置される。
【００６２】
ここで、以下に状態検出手段により、携帯電話機１における開閉状態及び閉状態における表裏状態を検出する態様について説明する。まず、ホール素子６が磁力の向きに応じて閉状態における表裏状態を検出・判定する態様について説明する。
【００６３】
初期設定として、ホール素子６が、所定値以上の磁力を検出できない場合には携帯電話機１が開状態であると判定すると共に、所定値以上の磁力を検知した場合には携帯電話機１が閉状態であると判定するように設定する。更に、ホール素子６が、一方の磁極であるＳ極からの磁力を検出した場合には携帯電話機１が閉状態における表状態（第１閉状態、クローズ状態）であると判定すると共に、他方の磁極であるＮ極からの磁力を検出した場合には携帯電話機１が閉状態における裏状態（第２閉状態、ターンクローズ状態）であると判定するよう設定する。
【００６４】
そして、まず、携帯電話機１が図５に示す状態の場合、ホール素子６と磁石７ａとが筐体の厚さ方向に互いに重なるように近接して配置されるので、ホール素子６は、磁石７ａから発せられるＳ極からの所定以上の磁力を検出する。これにより、携帯電話機１は閉状態における表状態（第１閉状態）であると判定される。
【００６５】
次いで、携帯電話機１を図５に示す状態から図１に示す状態に変形させた場合、互いに近接配置された磁石７ａとホール素子６とが離間するので、ホール素子６は、所定値以上の磁力を検出できなくなる。これにより、携帯電話機１は開状態であると判定される。
【００６６】
続いて、携帯電話機１を図１に示す状態から表示部側筐体３を回動軸Ｙを中心にＹ１方向へ回動させて図６に示す状態に変形させた場合、この図１の状態から図６の状態に変形する間、ホール素子６は磁石７ａ、７ｂと離間しているため磁石７ａ、７ｂから発せられる磁力を検出できない。これにより、携帯電話機１は開状態のままであると判定される。
【００６７】
そして、携帯電話機１を図６に示す状態から開閉軸Ｘを中心に表示部側筐体３を閉じるようにして図７に示す状態に変形させた場合、ホール素子６と磁石７ｂとは互いに筐体厚さ方向に重なるように近接して配置されるので、ホール素子６は、磁石７ｂから発せられるＮ極からの所定値以上の磁力を検出する。これにより、携帯電話機１は閉状態における裏状態（第２閉状態）であると判定される。
【００６８】
上述のように、状態検出手段としてのホール素子６と２つの磁石７ａ、７ｂとにより、携帯電話機１の開閉状態及び閉状態における表裏状態を検出することができる。そして、検出された開閉状態及び閉状態における表裏状態に応じて、ディスプレイ３０に表示される文字や画像の態様を変更させることや、操作キー群１１におけるキー・アサインを変更させることができる。
【００６９】
次に、アンテナ２２を介して受信された番組に基づく画像のディスプレイ（表示部）２０への表示について説明する。
【００７０】
まず、アンテナ２２は、操作部側筐体２の他方の側面（第１側面）２Ｄに配設されている。この側面２Ｄには操作部側筐体２の長手方向に延びるように凹部２２´が形成されており、この凹部２２´にアンテナ２２が収納可能に配設されている。アンテナ２２は、筐体長手方向の連結部４側の端部２２ａが凹部２２´の連結部４側に揺動可能に図示しない揺動部を介してリヤケース２ｂに連結されており、該揺動部を揺動させることにより、フロントケース２ａに着脱可能に配設されている。また、揺動部は、操作部側筐体２の内部に収容されている回路基板７０に実装されているＲＦ回路などの信号処理部を含む図示しない通信処理部に接続されており、アンテナ２２は、この揺動部を介して通信処理部に電気的に接続されている。
【００７１】
そして、アンテナ２２は、放送局から放送（送信）されるテレビ番組などに関する無線信号（放送波）を受信し、受信した無線信号を回路基板７０の通信処理部へ送信する。通信処理部は、アンテナ２２を介して受信された信号に対して復号処理などの所定の処理を行い、回路基板７０上に実装されている表示制御処理部（表示制御部）にアンテナ２２によって受信された無線信号に基づく画像信号を送信する。表示制御処理部は、通信処理部から送信された画像信号を表示部であるディスプレイ３０に送信して、該ディスプレイ３０に画像を表示させる。
【００７２】
すなわち、アンテナ２２によって放送局から放送（配信）されるテレビ番組やデータ放送などに係る無線信号を受信して、この受信したテレビ番組などに関する画像をディスプレイ３０に表示することができる。
【００７３】
次に、アンテナ２２にて放送局などから放送（配信）される画像情報に関わる無線信号を受信しながら、ディスプレイ３０に画像（動画など）を表示させる態様について説明する。
【００７４】
図１０は、操作部側筐体２と表示部側筐体３とを連結部４の回転軸Ｘを中心として回転させて第１開状態とし、操作部側筐体２の一方の側面（第２側面）２Ｃを底面として机上などに載置した状態を示している。そして、底面となる操作部側筐体２の一方の側面（第２側面）２Ｃとは反対側の他方の側面（第１側面）２Ｄにアンテナ２２が配設されている構成であるため、この状態においてアンテナ２２を凹部２２´から取り出して、基端側である揺動部を中心として図中破線で示されるように揺動させることができる。
【００７５】
そして、操作キー群１１の所定のキーを操作することにより、テレビ放送などを受信するためのアプリが起動され、アンテナ２２にて受信されたテレビ番組などの無線信号に基づく画像（動画）が表示制御処理部によりディスプレイ３０に表示される。画像がディスプレイに表示される際、所定のキー操作によって、画面表示方向を任意に設定することができ、初期状態では、アンテナ２２を用いて受信されたテレビ放送などがディスプレイ３０に表示される際には、回転軸Ｙを左右方向（横方向）として、操作部側筐体２の他方の側面（第１側面）２Ｄに対応する側を上方向とするようにワイド画面で画像が表示される。
【００７６】
この図１０に示されるように、操作部側筐体２の一方の側面２Ｃを底面として携帯電話機１が机上などに載置された状態で、アンテナ２２にて受信されたテレビ放送の番組などをディスプレイ３０に表示させて閲覧する場合、携帯電話機１の重心が高い位置となるため、不安定となる虞がある。そこで、本実施形態の携帯電話機１では、図１０に示されるように、操作部側筐体２の一方の側面２Ｃを底面として立ったままの状態で机上などの載置できるように、操作部側筐体２の一方の側面２Ｃには略平面状に形成された図示しない支持部が形成されている。なお、携帯電話機１の重心が、筐体の幅方向において操作部側筐体２の一方側の側面２Ｃ側にとなるように、部品レイアウトを構成したりすることにより、より安定して立てた状態で支持することができる。特に、側面２Ｃに支持部（平面部）が形成される操作部側筐体２における重心を一方の側面２Ｃ側となるようにすることで、支持部での筐体支持をより好適に行うことができる。
【００７７】
また、本実施形態での携帯電話機１は、連結部４が、図１０に示す開状態において、操作部側筐体２に対して屈曲した位置に配置される構成となっている。そして、連結部４の操作部側筐体２の一方の側面２Ｃに対応した側の側面４Ｃも机上などに当接して携帯電話機１を立てた状態で支持している。このように、操作部側筐体２の一方の側面２Ｃと連結部４の一方側の側面４Ｃとにより、二つの筐体（第２筐体の一部である連結部４と操作部側筐体２）によって携帯電話機を支持することができるとともに、この支持している二つの筐体における支持部（操作部側筐体２の一方の側面２Ｃと連結部４の一方側の側面４Ｃ）の長手方向に延びる二つの直線が同一平面状で交差される。よって、交差した状態で位置する２つの部材（操作部側筐体２と連結部４）によって携帯電話機１を図１０に示す立てた状態でより安定して支持することができる。
【００７８】
なお、表示部側筐体３と操作部側筐体２とが連結部４を介して略９０度に回動させられた状態とした場合には、携帯電話機1を支持している二つの筐体における支持部（操作部側筐体２の一方の側面２Ｃと連結部４の一方側の側面４Ｃ）の長手方向に延びる二つの直線が同一平面状で直交することとなり、より支持安定度を向上させることができる。なお、連結部４の操作部側筐体２の一方の側面２Ｃに対応した側の側面４Ｃにも、操作部側筐体２と同様に平面状に形成される支持部を形成してより支持安定度を向上させるような構成にしてもよい。
【００７９】
そして、図１０に示されるように、携帯電話機１を第１開状態として、操作部側筐体２の一方の側面２Ｃを底面として携帯電話機１が机上などに載置された状態で、アンテナ２２にて受信されたテレビ放送の番組などをディスプレイ３０に表示させて閲覧する場合、表示制御処理部は、ディスプレイ３０に表示される画面の向きを操作部側筐体２の他方の側面２Ｄに対応する側（図１０に示される上側）が上方向となるように画像を表示させる。よって、図１０に示すように、携帯電話機１を立てた状態で、ユーザーは上向きの画像を閲覧することができるとともに、操作部側筐体２の他方の側面２Ｄに配設されているアンテナ２２を操作部側筐体２から取り外して、アンテナ２２の揺動状態を任意に変更させることができ、受信感度が最適となるように調整することができ、きれいな画像を好適に閲覧することができる。
【００８０】
また、表示部側筐体３を操作部側筐体２に対して表裏切換可能に回動させて連結部３に連結する２軸ヒンジ機構の回動連結部材は、図１０に示される状態から、表示部側筐体３を回転軸Ｙを中心としたＹ１方向への回動のみを許容している。よって、表示部側筐体３を回転軸Ｙを中心としてＹ１方向に回動させることにより、画像を表示するディスプレイ３０の画面の角度を任意に調整することができる。なお、回動連結部材は、表示部側筐体３を任意の回動角度で保持させることができる保持機能を有している。そして、この表示部側筐体３の回動は、回転軸Ｙを中心としたＹ１方向のみが許容されているため、表示される画像の上方向を常に画面（表示部側筐体３）の上方向に合わせた状態で回動することができる。つまり、図１０に示されるように、ディスプレイ３０の画面が机上面に対して垂直である状態から表示部側筐体３をＹ１方向に略９０度回動させて、同画面が真上の方向を向く状態となるまで、画面に表示される画像の表示方向を常に上向き（ディスプレイ３０の幅方向右側３０ａを上方向）として表示させることができる。よって、ディスプレイ３０における画面の視認性を向上させることができる。
【００８１】
また、本実施形態の携帯電話機１は、表示部側筐体３を回動軸Ｙのみならず回動軸Ｘを中心として回動させることができるため、ディスプレイ３０の画面の向きをユーザーの視認位置やアンテナ２２の受信感度位置などに応じて、２軸回りで調整することができ、テレビ放送などの受信を感度よく行いながら、視認性の良い角度でディスプレイ３０に表示される画像を閲覧することができ、ユーザーの利便性を向上させることができる。
【００８２】
なお、図１０に示されるような開状態では、ディスプレイ３０の幅方向右側３０ａを上方向として画像を表示させるように構成したが、状態検出手段によって図７に示されるような第２閉状態が検出された場合には、ディスプレイ３０の幅方向左側３０ｂを上方向として画像を表示させるように構成すればよい。このとき、アンテナ２２が配設される操作部側筐体２の他方の側面（第１側面）２Ｄがディスプレイ３０に表示される画像の表示方向の上側となるため、操作部側筐体２の一方の側面（第２側面）２Ｃを底面として同一方の側面２Ｃに配設された支持部により携帯電話機１を立てた状態でディスプレイ３０に表示される画像を表示することができる。この場合にも、画面の表示方向上側に対応してアンテナ２２が筐体に配設された状態となるので、表示される画像の表示方向をディスプレイ３０の配置状態に合わせて画像を表示させることができ、アンテナ２２を操作部側筐体２から取り外すとともに、アンテナ２２の揺動状態を変更して受信感度を調整することが可能となり、アンテナ２２により受信される信号に基づく画像の表示を好適に行うことができ、ユーザーの利便性を向上させることができる。
【００８３】
上述したように、本実施形態における携帯電話機１では、操作部側筐体２と表示部側筐体とが、折り重なる閉状態と折り重ならない開状態との間で開閉可能に連結されるとともに、表示側筐体が３操作部側筐体２に対して表裏切換可能に回動可能とされ、両筐体を開状態から閉状態へ回動させたときにディスプレイ（表示部）３０が操作部側筐体２に対向される第１回動状態と開状態から閉状態へ回動させたときにディスプレイ（表示部）３０が操作部側筐体２と対向しない第２回動状態との間の一方側での表示部側筐体３の回動が許容されている。そして、操作部側筐体２は、表示部側筐体３の一方側での回動に対応する側の第１側面２Ｄにアンテナ２２が配設され、ディスプレイ３０は、アンテナ２２により受信された信号に基づく画像が表示される際に、第１回動状態のときに第１側面２Ｄに対応する側を画面上方として画像を表示する構成としている。
【００８４】
よって、当該構成により、アンテナ２２を操作部側筐体２の上側に位置させた状態で、表示部側筐体３の傾き（回動）調整による画面の視認性向上を行うことができ、好適にアンテナ２２によって受信された信号に基づく画像表示を行うことができ、利便性を向上させることができる。
【００８５】
また、アンテナ２２は、操作部側筐体２の第１側面２Ｄに脱着可能に配設される構成とされており、当該構成により、アンテナ２２の位置調整による受信感度の適正化及び表示部側筐体３の傾き（回動）調整による画面の視認性向上を同時に行うことができ、好適にアンテナ２２によって受信された信号に基づく画像表示を行うことができ、利便性をより向上させることができる。
【００８６】
また、表示部側筐体３は任意の回動位置で保持される構成とすることにより、ディスプレイ３０の表示方向を任意の位置で保持させることができ、画面の視認性をより向上させることができる。
【００８７】
また、操作部側筐体２は、第１側面２Ｄとは反対側の第２側面２Ｃに、開状態で且つ表示部側筐体３が第１回動状態と第２回動状態との間の一方側での回動位置で保持された状態を第２側面２Ｃを底面として支持する支持部を有する構成とすることにより、支持部により携帯電話機１をより安定して支持することができる。
【００８８】
また、本発明における第２筐体が、操作部側筐体と開閉連結部材によって開閉可能に連結される連結部（連結筐体）４と、連結部４に回動連結部材によって表裏切換可能に連結される表示部側筐体（主筐体）３とを有して構成され、連結部４は、開状態において操作部側筐体２に対して屈曲した状態とされるとともに、第２側面２Ｃに対応する側面４Ｃに第２支持部が形成されている構成とすることにより、操作部側筐体２及び屈曲状態にある連結部４によって携帯電話機１をよリ安定して支持させることができる。
【００８９】
なお、上述した実施形態では、図１０に示される第１開状態で、表示部側筐体３を回転軸ＹのＹ１方向に任意の位置まで回動させた場合、回動されている表示部側筐体３を机上などの載置面に接触させない状態で携帯電話機１が支持されるように構成されている。このように、表示部側筐体３が机上の載置面に当接していない（支持されていない）状態においても、操作部側筐体２の一方の側面（第２側面）２Ｃに配置される支持部によって携帯電話機１を立てた状態で支持させることができるように構成されている。
【００９０】
また、上述した実施形態では、操作部側筐体２は、筐体幅方向右側（図１における右側）にアンテナ２２が配置され、筐体幅方向左側（図１における左側）に支持部が配設される構成であるため、図１０に示されるように第１開状態で横方向に立てた状態でテレビなどを視聴する際には、ディスプレイ３０の画面右側に操作部側筐体２の操作キーが配置される構成となるため、テレビ視聴に関するキー操作を右手で行う際に、ディスプレイ３０の画面と右手とがかぶることが抑制でき、画面の視認性を向上させることができる。
【００９１】
そして、上述した実施形態では、携帯電話機１を載置するための置き台などを用いなくとも、操作部側筐体２にて表示部側筐体３のディスプレイ３０を略垂直方向にした状態（画面の視認方向を水平方向にした状態）で支持させることができ、外出先などの置き台が配置されていない場所でも、テレビ番組などの画像を好適に閲覧することができる。
【００９２】
なお、操作部側筐体２の連結部４とは反対側の端面に充電ケーブルと接続可能な接続コネクタを配置する構成とした場合には、図１０に示される第１開状態の立てた状態でテレビ番組を閲覧する場合にも、充電ケーブルとの接続が可能となるため、利便性を向上させることができる。
【００９３】
なお、本発明に係る携帯端末装置は、上述した実施形態の構成に限定されるものではなく、発明の主旨を逸脱しない範囲で任意に変更することができる。例えば、上述した実施形態では、連結筐体としての連結部４を有する構成としたが、連結筐体を有さずに、表示部側筐体３が操作部側筐体２に直接連結されて、２軸（Ｘ軸、Ｙ軸）回りに回動可能に構成されるような携帯電話であってもよい。さらには、アンテナ２２が操作部側筐体２から取り外し（着脱）可能に配設される構成としたが、着脱できないような構成であってもよい。この場合であっても、アンテナを操作部側筐体の他方の側面（第１側面）側に配設することにより、受信感度が良好な状態でテレビ番組などを受信することができる。
【図面の簡単な説明】
【００９４】
【図１】携帯端末装置としての携帯電話機１を開いた状態（第１開状態）における正面図を示す。
【図２】（Ａ）携帯電話機１を開いた状態における左側面図を示し、（Ｂ）携帯電話機１を開いた状態における右側面図を示す。
【図３】携帯電話機１を開いた状態における背面図を示す。
【図４】携帯電話機１を開いた状態（第１開状態）における斜視図を示す。
【図５】携帯電話機１の表示部側筐体３と操作部側筐体２を、連結部４の開閉軸Ｘを中心に閉回転し、閉じた状態（第１閉状態）の平面図を示す。
【図６】携帯電話機１の表示部側筐体３を、連結部４の回動軸Ｙを中心にして１８０°回動した状態（ターン状態、第２開状態）の斜視図を示す。
【図７】携帯電話機１の表示部側筐体３を、連結部４の開閉軸Ｘを中心に閉回転して閉じた状態（ターンクローズ状態、第２閉状態）の斜視図を示す。
【図８】操作部側筐体２の分解斜視図を示す。
【図９】表示部側筐体３の分解斜視図を示す。
【図１０】携帯電話機１を開いた状態（第１開状態）における斜視図を示す。
【符号の説明】
【００９５】
１    携帯電話機
２    操作部側筐体（第１筐体）
２Ｃ  操作部側筐体の一方の側面（第２側面）
２Ｄ  操作部側筐体の他方の側面（第１側面）
３    表示部側筐体（第２筐体、主筐体）
４    連結部（連結筐体）
１１  操作キー群
２２  アンテナ
３０  ディスプレイ（表示部）
【図１】
2009055565.tif 000003
【図２】
2009055565.tif 000004
【図３】
2009055565.tif 000005
【図４】
2009055565.tif 000006
【図５】
2009055565.tif 000007
【図６】
2009055565.tif 000008
【図７】
2009055565.tif 000009
【図８】
2009055565.tif 000010
【図９】
2009055565.tif 000011
【図１０】
2009055565.tif 000012